(57)【要約】  本発明は、複数の周囲照明及び複数のタスク照明と、複数の占有ゾーンにおける占有を検出し、周囲光源及びタスク光源を制御する占有センサとを有する照明システムに関する。各々の占有センサは、他の占有センサと無線で通信するように備えられる。少なくとも１つのゾーンの占有の検出に関して、占有を検出する占有センサは少なくとも１つの周囲光源をアクティブにし、他の周囲光源をアクティブにするように他の占有センサに制御信号を送信し、占有されたゾーンを照明するタスク光源の群の強度は、残りのタスク光源の強度より高いレベルに設定される。本発明はまた、このような種類の照明システムを制御するそれぞれの方法にも関する。
2013506247.tif 000002
【特許請求の範囲】
【請求項１】
周囲照明を与える複数の周囲光源、
複数のタスク光源であって、各々のタスク光源は可変強度を有する所定の領域を照明するように備えられている、複数のタスク光源、及び
複数の占有領域における占有を検出し、前記周囲光源及び前記タスク光源を制御する複数の占有センサ；
を有する照明システムであって、
各々の占有センサは他の占有センサと無線で通信するように備えられ、
少なくとも１つのゾーンの占有に関して、前記占有を検出する前記占有センサは、少なくとも１つの周囲光源をアクティブにし、他の周囲光源をアクティブにするように他の占有センサに制御信号を送信し、前記占有されたゾーンを照明するタスク光源の群の強度は、残りのタスク照明の強度より高いレベルに設定される、
照明システム。
【請求項２】
前記タスク光源の群の周囲のタスク光源の強度は、前記占有されたゾーンを照明する前記タスク光源の群の前記強度より低い中間強度に設定される、請求項１に記載の照明システム。
【請求項３】
前記占有センサは、ぞれぞれの占有ゾーンの占有時間を決定する時間測定装置が備えられている、請求項１又は２に記載の照明システム。
【請求項４】
複数の照明器具を有し、各々の照明器具は、周囲光源及びタスク光源を有する光源の集合と、前記光源の集合を制御する少なくとも１つの占有センサとを有する、請求項１又は２に記載の照明システム。
【請求項５】
各々の１つの照明器具は、第２の照明器具を介して電力が供給されるように、前記第２の照明器具に接続可能である、請求項４に記載の照明システム。
【請求項６】
前記占有センサは、受動赤外線センサ、超音波動きセンサ、又は受動赤外線センサ及び超音波動きセンサの組み合わせとして与えられる、請求項１乃至５の何れか一項に記載の照明システム。
【請求項７】
前記占有センサは、少なくとも１つのゾーンの占有を検出する場合に、占有アラーム信号を生成するアラーム装置が備えられている、請求項１乃至６の何れか一項に記載の照明システム。
【請求項８】
前記占有センサは、少なくとも１つのゾーンにおいて火災を検出する場合に、火災アラーム信号を生成するアラーム装置が備えられている、請求項１乃至７の何れか一項に記載の照明システム。
【請求項９】
前記占有センサは、他の占有センサにアラーム信号を送信し、他の占有センサがアラーム信号を受信する場合に、アラーム信号を生成する、請求項７又は８に記載の照明システム。
【請求項１０】
周囲照明を与えるように複数の周囲光源を有する照明システムを制御する方法であって、各々のタスク光源が可変強度で所定の領域を照明されるように備えられている、複数のタスク光源と、各々の占有センサが他の占有センサと無電で通信するように備えられている、複数の占有ゾーンにおける占有を検出し、前記周囲光源及び前記タスク光源を制御する複数の占有センサと、を有する照明システムを制御する方法であって、
占有検出のために複数の占有ゾーンをモニタするステップ；並びに
少なくとも１つのゾーンの占有を検出する場合に、
ａ）前記少なくとも１つの周囲光源を制御するそれぞれの占有センサにより少なくとも１つの周囲光源をアクティブにするステップ、
ｂ）他の周囲光源をアクティブにするようにそれぞれの占有センサから他の占有センサに制御信号を送信するステップ、及び
ｃ）前記占有されたゾーンを照明するタスク光源の群の強度を残りのタスク光源の強度より高いレベルに設定するステップ、
を有する方法。
【請求項１１】
前記タスク光源の群の周囲のタスク光源の強度を、前記占有されたゾーンを照明する前記タスク光源の群の前記強度より低い中間強度に設定するステップを有する、請求項１０に記載の方法。
【請求項１２】
占有が検出される前記少なくとも１つのゾーンの占有時間を決定するステップ、及び
前記占有時間が所定のレベルを上回る場合にのみ、少なくともステップｃ）を実行するステップ、
を有する請求項１０又は１１に記載の方法。
【請求項１３】
各々の占有センサは光源の１つの集合を制御し、光源の各々の集合は少なくとも１つの周囲光源及び少なくとも１つのタスク光源を有し、
当該方法は、複数の占有センサを供給するステップを有し、前記光源の集合は共通の電源により前記占有センサにより制御される、
請求項１１又は１２に記載の方法。
【請求項１４】
当該方法は、少なくとも１つのゾーンの占有を検出する場合に、占有アラーム信号を生成するステップを有する、請求項１０乃至１３の何れか一項に記載の方法。
【請求項１５】
当該方法は、火災検出についての複数の占有ゾーンをモニタするステップ、及び
少なくとも１つのゾーンにおいて火災を検出する場合に、火災アラーム信号を生成するステップ、
を有する、請求項１０乃至１４の何れか一項に記載の方法。
【発明の詳細な説明】
【技術分野】
【０００１】
本発明は照明システム及びそれぞれの照明システムを制御する方法に関する。
【背景技術】
【０００２】
部屋の照明のための照明システムは種々の具現化において知られている。一般に、それらのシステムは、種々の目的のための多様な光源を有することが可能である。例えば、周囲光源は、部屋の照明のための周囲照明を提供するように用いられる。ある場合には、周囲照明は、部屋の雰囲気を創り出す重要な役割を果たす。作業室において、周囲照明は、一般的方向について十分な中間強度レベルで作業場所を照明し、作業空間におけるオーバービューを提供する役割を果たす。
【０００３】
追加的タスク光源が、所定領域を照明し、作業面の方に方向付けられる光を与えるように提供される。そのタスク光源の強度は、低い状態と最大レベルとの間で変えられることが可能である。周囲光源及び追加的タスク光源を有する照明システムは、異なる照明状態をつくるためのかなりの自由度を提供する。
【０００４】
この自由度はまた、照明システムのエネルギー消費の低減の観点から重要である。そのエネルギー消費を低減するためには、かなりの数の光源を有するシステムにおいて特に、フルパワーで照明システムのすべての光源を動作させないことが望まれる。例えば、まさに必要とされるだけの電力量により、作業場所の許容可能な照明のためにまさに必要な数の光源を動作させることがかなり好まれる。しかしながら、このような要求は、多くの場合には実現できない。各々の光源が又は光源の群が、それぞれの光源を又は光源の群を個別に動作するようにスイッチにより提供される場合には、エネルギー消費の拡大はユーザの挙動に依存する。
【０００５】
このために、照明システムの光源を自動的に動作させる種々の方法が行われてきている。光源を制御する一方法は、部屋の占有を検知し、検出された占有状態に従って光のオン又はオフを切り換える占有センサのようなセンサを提供することである。占有センサを用いることにより、１つの部屋の異なるゾーンをモニタし、それらのゾーンを個別に照明する光源を動作させることも可能である。
【０００６】
しかしながら、照明システムの複雑度が増加するにつれて、照明システムを制御するこの方法は限界に達してしまう。節約のために、個別の占有センサを各々の光源に備えることは受け入れられない。単独の制御器により制御されることが可能であるネットワークをもたらす配線によって、周囲光源等の異なる光源を接続することによりその照明システムを簡単化することにより、システムの自由度がこの場合に低くなること以外に、複数の光源が互いに配線されているために、設置コストが高くなる。
【発明の概要】
【発明が解決しようとする課題】
【０００７】
従って、本発明の目的は、低い設置コストで設置することが可能であり、エネルギー消費を低くして動作させることが可能であり、その照明システムがユーザの要求に依存して異なる照明状態に対して自動的に反応することが可能であるようにそのシステムの自由度を高レベルに維持することができる、上記の照明システムをつくることである。他の目的は、そのような照明システムを制御する方法を提供することである。
【課題を解決するための手段】
【０００８】
上記の目的は、請求項１に記載の特徴を有する照明システムにより、及び請求項１０に記載の特徴を有する方法により達成できる。
【０００９】
本発明に従った照明システムは、例えば、可変強度により、作業場所のような所定領域を照明する周囲光源及びタスク光源を有する。複数の占有センサが、複数の占有ゾーンにおける占有を検出するように適用される。周囲光源及びタスク光源は占有センサにより制御される。更に、各々の占有センサは、他のセンサと無線で通信するように提供される。  １つ又はそれ以上のゾーンの占有が１つ又はそれ以上のセンサにより検出されるとき、占有を検出する占有センサは、それぞれの占有センサにより直接制御される光源をアクティブにする。更に、制御信号が他の占有センサに送信される、故に、他の占有センサにより制御される他の周囲光源はアクティブにされることが可能である。これは、そのゾーンにおける占有を検出する占有センサにより制御される周囲光源がアクティブにされるばかりでなく、アクティベーションのために“ウェークアップ”信号を受信する他の周囲光源がアクティブにされる。例えば、ひとが１つの部屋に入り、１つの占有センサにより制御されるゾーンに達するとき、その部屋のすべての周囲光源をアクティブにすることが可能である。その場合、このセンサは、このセンサにより直接制御される１つの周囲光源をアクティブにし、割り当てられた周囲光源をアクティブにすることにより応答する他の占有センサにその制御信号を送信することが可能である。その結果、部屋全体が、周囲光源により特定の照明レベルで照明されることが可能である。
【００１０】
更に、占有されたゾーンを照明するタスク光源の群の強度は、占有が検出されない残りのタスク照明の強度より高いレベルに設定される。例えば、部屋に入るひとが１つのゾーン内にとどまるとき、このゾーンをモニタする占有センサは、このゾーンを照明するタスク光源を最大照明レベルであることが可能である高レベルに設定する。占有されたゾーンを照明しない残りのタスク照明は、暗いままである又は低レベルを維持する。占有されたゾーンの照明を高レベルに設定することにより、ひとが位置している領域が作業光を提供するように十分に照明される条件が与えられる。
【００１１】
タスク光のすべてが作業光を提供するように動作されるのではなく、１つのタスク光又は複数のタスク光のみが占有されたゾーンを選択的に照明するように選択されることは重要である。これは、エネルギーコストを著しく低減することが可能である。同時に、周囲照明は、上記のように、特定のレベルに保たれる。
【００１２】
ひとが部屋を通って移動するとき、彼又は彼女は複数のゾーンを順に入ったり出たりし、故に、実際に占有されているゾーンを照明するタスク光源の群に属すメンバーは変化する。部屋を通り抜けるひとを追跡して、タスク光源の群はその部屋を通して“移動する”。タスク光源の群は任意の数のタスク光源を有し、占有されたゾーンを照明する１つのタスク光源から始まり、同時に占有されたゾーンを照明する複数のタスク光源まで増加する。
【００１３】
この照明システムは、異なる周囲光源間の配線を必要とすることなく、無線通信により複数の周囲光源を動作させる可能性を提供し、設置コストを節約する。他方、そのシステムは、その設置及び動作が関与する限り、かなり高いフレキシビリティを維持する。本発明に従った照明システムは、異なる照明設定を自動的にもたらすように異なる部屋の占有状態に反応し、エネルギーコストを節約する。
【００１４】
好適には、占有されたゾーンを照明するタスク照明の群の周囲のタスク光源の強度は、占有されたゾーンを照明するタスク照明の群の強度より低い中間強度に設定される。
【００１５】
この実施形態においては、ひとが位置しているゾーンのすぐ周囲がまた、照明されるが、高強度レベルで動作される群におけるタスク光源に対しては比較的低いレベルで照明される。
【００１６】
本発明の好適な実施形態に従って、占有センサには、それぞれの占有されたゾーンの占有時間を決定する時間測定装置が備えられる。
【００１７】
これは、占有時間が所定の時間レベルを上回るかどうかを判定するオプションを提供する。例えば、占有されたゾーンを照明するタスク光源の群は、ひとが長時間、占有されたゾーン内にとどまるときにのみ、高レベルに設定される。この構成により、彼又は彼女が一の作業ゾーンから他の作業ゾーンに向かう途中で、ひとが行き当たるゾーンを照明するようにタスク光源をアクティブにする必要はなく、ひとが長い占有時間、とどまるゾーンのみが照明される。占有されたゾーンを照明するようにタスク光源の群をアクティブにするのに上回る必要がある所定の時間レベルが、任意の好ましい値に設定されることが可能である。
【００１８】
他の好適な実施形態に従って、本発明に従った照明システムは複数の照明器具を有し、各々の照明器具は、複数の周囲光源及び複数のタスク光源を有する光源の集合と、前記光源の集合を制御する少なくとも１つの占有センサとを有する。
【００１９】
好適には、それらの照明器具の各々は、第２の照明器具を介して電力が供給される、第２の照明器具に接続され得る。
【００２０】
例えば、１つの照明器具のみが主電源に直接、接続される一方、他の複数の照明器具は、電力が供給されるように、この照明器具に接続されることが可能である。電力供給のための照明器具の配線スキームは、容易な設置を提供するために、フレキシブルであることが可能であり、照明器具の制御から独立していることが可能である。
【００２１】
他の実施形態においては、占有センサは、受動赤外センサ、超音波動きセンサ又はそれら両者の組み合わせとして提供されることが可能である。
【００２２】
好適には、占有センサは、少なくとも１つのゾーンの占有を決定する場合に、占有アラーム信号を生成するアラーム装置が備えられる。
【００２３】
この実施形態においては、占有センサは、防犯アラームのような侵入アラームを生成するためにも用いられる。
【００２４】
他の実施形態に従って、占有センサは、少なくとも１つのゾーンにおいて火災を検出した場合に火災アラーム信号を生成するように、アラーム装置が備えられる。
【００２５】
本発明に従って、照明システムを制御する方法であって、前記照明システムは、周囲照明を与える複数の周囲光源と、複数のタスク照明と、を有し、各々のタスク光源は可変強度により所定領域を照明するように備えられ、複数の占有センサは、複数の占有ゾーンにおける占有を検出し、前記周囲光源及びタスク光源を制御するためのものであり、各々の占有センサは、他の占有センサと無電で通信するように備えられ、前記方法は、占有検出のために複数の占有ゾーンをモニタするステップと、少なくとも１つのゾーンの占有を検出する場合には、前記少なくとも１つの周囲光源を制御するそれぞれの占有センサにより少なくとも１つの周囲光源をアクティブにするステップと、他の周囲光源をアクティブにするようにそれぞれの占有センサから他の占有センサに制御信号を送信するステップと、残りのタスク光源の強度より高いレベルに占有されたゾーンを照明するタスク光源の群の強度を設定するステップと、を有する。
【００２６】
本発明に従った方法の好適な実施形態は、占有されたゾーンを照明するタスク光源の群の強度より低い中間強度に前記タスク光源の群の周囲のタスク光源の強度を設定するステップを有する。
【００２７】
他の好適な実施形態に従って、前記方法は、占有が検出された少なくとも１つのゾーンの占有時間を決定するステップを有し、残りのタスク光源の強度より高いレベルに占有されたゾーンを照明する前記タスク光源の群の強度を設定するステップは、占有時間が所定レベルを上回る場合にのみ実行される。
【００２８】
好適には、各々の占有センサは光源の１つの集合を制御し、光源の各々の集合は、少なくとも１つの周囲光源及び少なくとも１つのタスク光源を有し、前記方法は更に、複数の占有センサを提供するステップを有し、光源の集合は、共通電源によりそれらの占有センサによって制御される。
【００２９】
好適な実施形態に従って、本発明に従った方法は、少なくとも１つのゾーンの占有を検出した場合に、占有アラーム信号を供給するステップを有する。
【００３０】
他の好適な実施形態に従って、本発明に従った方法は、火災検出のために複数の占有ゾーンをモニタするステップと、少なくとも１つのゾーンにおいて火災を検出した場合に火災アラーム信号を生成するステップと、を有する。
【００３１】
本発明の更なる特徴及び有利点については、下に提供される詳細説明により明らかになる。その詳細説明及び特定の実施例は、更に本発明の例示としての実施形態を示し、単に例示を目的とするように意図されていて、本発明の範囲を限定するようには意図されていない。
【００３２】
上記の、本発明の特徴、側面及び有利点については、添付図を参照する以下の詳述により十分に理解することができる。
【図面の簡単な説明】
【００３３】
【図１】モニタされる占有ゾーンを示す、本発明に従った照明システムの一実施形態の模式図である。
【図２】照明状態を示す、図１の照明システムの他の模式図である。
【図３】第１の占有状態にある占有ゾーンを示す、図１及び２に示す照明システムの実施形態の模式図である。
【図４】結果として得られる照明状態を示す、図３に従った照明システムの実施形態の状態の模式図である。
【図５】図３及び４とは異なる占有状態を示す、照明システムの上記実施形態の模式図である。
【図６】結果として得られる照明状態を示す、図５に従った状態にある照明システムの実施形態を示す図である。
【図７】他の占有状態を示す、上記図に示す照明システムの実施形態の模式図である。
【図８】結果として得られる照明状態を示す、図７に従った占有状態にある照明システムを示す図である。
【図９】本発明に従った照明システムの他の実施形態の配線スキームを示す図である。
【図１０】本発明に従った照明システムの他の実施形態の配線スキームを示す図である。
【図１１】本発明に従った照明システムの他の実施形態の配線スキームを示す図である。
【図１２】本発明に従った照明システムの他の実施形態の配線スキームを示す図である。
【発明を実施するための形態】
【００３４】
図１における照明システム１０は、４つの壁により範囲が定められた部屋１２の中に設置されていて、それらの壁の１つは参照番号１４が例として示されている。図１は上からのビューであり、壁１４により囲まれた部屋の矩形状のフロア１６を示している。部屋１２は、下で詳述するように、照明システム１０が有する複数の光源により照明される。
【００３５】
照明システム１０は、図には明確に示していない複数の光源を有する。周囲光源は、作動中に、中間照明レベルで部屋１２を照明する周囲照明を生成するように備えられる。この周囲照明レベルは、その部屋を移動するひとがオブジェクト、障害物等を識別するのに十分である。しかしながら、周囲光源の照明レベルは、ひとが作業処理を実行することを可能にする作業光としては不十分である。例えば、部屋１２は、ひとが部屋に入るときに一般に照明されるパックオフィス（ｐａｃｋ  ｏｆｆｉｃｅ）であることが可能である。部屋１２内の異なる複数の作業領域、即ち、部屋内の複数のパッキングステーションがより高いレベルで照明される。
【００３６】
所定の作業領域を照明するために、複数のタスク光源が備えられる。図１においては、８つの同じタスク光源１８が模式的に示されていて、参照文字Ａ及びＢが付加的に付けられている。タスク光源１８の各々の位置は、それぞれのタスク光源１８により照明されることが可能である１つの作業場所に対応している。
【００３７】
タスク光源１８及び周囲光源は、部屋１２の点状に備えられた照明器具２０に含まれる。図１に示す４つの照明器具２０の各々は、Ａ及びＢで個別にマーク付けされた２つのタスク光源と、複数の周囲光源（図示せず）と、を有する。タスク光源Ａ及びＢ並びに周囲光源を有する１つの照明器具２０に含まれるすべての光源は、以下では、光源の１つの集合と呼ばれている。１つの照明器具２０に含まれる各々の光源の集合は、照明器具２０に備えられている占有センサにより制御される。
【００３８】
占有センサは、それぞれの照明器具２０の下に位置付けられる複数の異なる占有ゾーン２２における部屋の占有を検出するように備えられる。図１に示す実施形態においては、１つの照明器具２０における各々の占有センサは、４つの異なるゾーンにおける占有を検出することができる。理由説明のために、各々の照明器具２０は、１乃至４の順序番号がマーク付けされている。図１の左上領域の照明器具２０は順序番号１でマーク付けされ、右上の照明器具２０は順序番号２でマーク付けされ、左下の照明器具２０は順序番号３でマーク付けされ、そして残りの右下の照明器具２０は順序番号４でマーク付けされている。複数の照明器具２０に含まれる複数のタスク光１８は、タスク光１Ａ、１Ｂ、２Ａ、２Ｂのそれぞれ、等と呼ばれる。照明器具２０における占有センサによりモニタされる占有ゾーン２２は、２つの順序番号の組み合わせでマーク付けされている。例えば、部屋１２の左上の角（入り口領域をマーク付けする）に対応する、順序番号１でマーク付けされた占有センサ２０によりモニタされる第１ゾーンは１．１でマーク付けされている。この上部ゾーン１．１の下の続くゾーンは１．２でマーク付けされている、等である。即ち、ゾーン２２をマーク付けするそれらの順序番号の最初の順序番号は、それぞれの照明器具の順序番号に対応し、ゾーン２２をマーク付けする第２の順序番号は、この照明器具２０に割り当てられるゾーンの数（１乃至４）に対応する。
【００３９】
図１においては、１．１乃至４．４でマーク付けされているゾーン２２は楕円状の線で示されている。隣接するゾーン２２が重なり合うことが可能であることを図１から理解できる。例えば、ゾーン１．１とゾーン１．２との間の重なり合い及びゾーン１．１とゾーン２．１との重なり合いが存在し、即ち、複数のゾーン２２は異なる複数の照明器具２０に属している。
【００４０】
下では、照明器具２０に含まれる光源の集合を制御する占有センサの機能について説明している。
【００４１】
部屋１２のゾーン１．１乃至４．４の何れも占有されていないとき、照明器具２０に含まれる占有センサは、光源の集合をオフに切り換えられた状態に保つ。従って、図２に示すように、部屋１２のすべての照明器具２０は暗い。
【００４２】
ひとが、部屋１２の左上の角の入り口を通ってその部屋に入るとき、このひとは、１．１でマーク付けされるゾーン２２を占有する。この占有については、図３に示している。このゾーン１．１の占有の検出において、１でマーク付けされる照明器具２０における占有センサは、この照明器具１が含む周囲光源をアクティブにする。用語“アクティベーション”は、中間強度レベルで左上の照明器具１の周囲を照明する、所定の周囲照明レベルに周囲光源の設定を意味する。例えば、この強度レベルは約３００ｌｕｘであることが可能である。制御される周囲光源が対応するエネルギー供給により供給される、備えられているそれぞれの配線又は回路により、それぞれの照明器具２０に直接含まれる周囲光源を、占有センサが制御することに留意する必要がある。占有を検出する占有センサが位置付けられる、照明器具２０に含まれる周囲光源を制御すること以外に、この占有センサは、モニタされるゾーン２２の何れかにおいて占有を検出しない他の照明器具２０における他の占有センサと無線で通信する。例えば、順序番号１でマーク付けされた照明器具２０に含まれる占有センサは、順序番号２、３及び４でマーク付けされた残りの照明器具２０における他の３つの占有センサと通信する。この無線通信を可能にするように、各々の照明器具２０は、各々の占有センサが制御信号を送受信することができるように、送信装置及びそれぞれの受信装置を備えることが可能である。
【００４３】
図３の場合、１でマーク付けされた左上照明器具の占有センサは、２、３及び４でマーク付けされた残りの照明器具における他の占有センサに無線制御信号を送信する。この制御信号の受信において、それぞれの照明器具２０における残りの占有センサは、順序番号２、３及び４でマーク付けされたそれぞれの他の照明器具２０に含まれる周囲光源をアクティブにする。その結果として、部屋１２を照明する照明システム１０に含まれるすべての周囲光源が動作される。本実施例は、部屋１２におけるすべての周囲光源をアクティブにするのに、ひとりのひとが１つのゾーンを占有することで十分であることを示している。
【００４４】
図４は、結果として得られる照明状態であって、順序番号１乃至４でマーク付けされた照明器具２０の周囲光源がアクティブにされる、照明状態を示している。この状態において、ひとがその部屋１２にまさに入ったときは、タスク光源１８は動作されない。タスク光源１８の動作は、下のように占有時間としても表されるより長い遅延時間の間、少なくとも１つのゾーンが占有されるときにのみ、行われる。そのような状態については下で、図５及び６に関連付けて説明する。
【００４５】
図５においては、図３において１．１でマーク付けされたゾーンに入ったひとが、部屋１２の右下領域において４．３でマーク付けされたゾーンに達するようにその部屋を横断し、そこで作業操作を行うようにこのゾーン４．３にとどまることを前提としている。それらの作業操作のためには、周囲光が作業光を与えるのには不十分であることが分かるために、タスク光が必要である。このタスク光は、それぞれの占有されたゾーン４．３を照明する、４Ｂでマーク付けされた右下のタスク光源１８により与えられる。この実施形態においては、順序番号４でマーク付けされた右下の照明器具２０の占有センサは、ゾーン４．３における占有の検出においてアクティブにされ、この占有センサは、所定の強度レベルで照明されるタスク光源４Ｂを制御する。この強度レベルは、このタスク光４Ｂの最大強度レベル、例えば、このタスク光４Ｂの全部の電力の１００％に対応する５００ｌｕｘに相当することが可能である。
【００４６】
占有ゾーン４．３を照明するタスク光源４Ｂは、ゾーン４．３の占有時間が所定値より長い場合にのみ、高い強度レベルに設定されるようにアクティブにされる。この値は、任意のレベルに、即ち、数秒に設定されるように選択される。これは、それらの横断されるゾーン、例えば、ゾーン１．４又は２．４の占有時間が、それらのゾーン１．４及び２．４を照明するそれぞれのタスク光源１Ｂ及び２Ｂがアクティブにされないように、所定レベルを上回らないために、ひとが部屋１２を歩いて移動して、それらのゾーンを横断するときに、開始ゾーン１．１と終了ゾーン４．３との間に存在するゾーンを照明するタスク光源のすべてがアクティブにされない、理由である。その目的はまさに、より多くのタスク光源をアクティブにすることに代えて、ひとがより長い時間、とどまるゾーンを照明するタスク光源をアクティブにすることである。
【００４７】
占有ゾーンを照明するタスク光源を高レベルに設定することに加えて、それらのタスク光源の周囲のタスク光源は、占有ゾーンを照明するタスク光源のレベルに比べて低い中間強度レベルに設定されることが可能である。図５の実施例においては、右下の照明器具２０にも属す、４Ａでマーク付けされた隣接するタスク光源１８は、ゾーン４．３を照明するタスク光源４Ｂの１００％の強度より低い、その最大強度の７５％のレベルに設定される。このことは、ひとがとどまる作業場所のすぐ周囲が中間レベルで照明される効果に繋がる。タスク光源４Ａのような中間強度に設定されるように、順序番号３でマーク付けされた左下の照明器具２０に含まれているタスク光源３Ａ及び３Ｂのような他の周囲のタスク光源をアクティブにすることも、理解することができる。
【００４８】
図６は、図５に関連して説明している占有状態に対応する、結果として得られる照明状態を示している。タスク光源４Ｂは１００％の強度に設定される一方、隣接するタスク光源４Ａは最大電力の７５％に設定されることを示している。他のタスク光源１Ａ乃至３Ｂは完全にオフになっている。
【００４９】
図５及び６は、占有が検出されない占有センサに属す残りのタスク光源１８の強度に比べて高いレベルに設定されるこの占有されたゾーンを照明する１つのタスク光源１８のアクティベーションに繋がる、１つのゾーンが占有されている一実施例を示している。しかしながら、本発明は、占有されたゾーンを照明する１つのタスク光源のアクティベーションに限定されるものではなく、占有されたゾーンを照明するタスク光源の群の強度を設定することにも言及するものであり、前記群は任意の数の複数のタスク光源を有し、この群に含まれる１つのみのタスク光源から開始する。例えば、２つのタスク光源１８が同じ占有されたゾーンを照明することが可能である。この場合、両方のタスク光源は、残りのタスク光源の強度より高いレベルに設定される。図７及び８に関連付けて下で説明する状態は、図７における２．４及び４．１でマーク付けされた２つのゾーンがそれらのゾーンの占有時間より長い時間、ふたりのひとが占有する場合を示している。ゾーン４．１はタスク光源４Ａにより照明され、ゾーン２．４はタスク照明２Ｂにより照明されるため、両方のタスク光源２Ｂ及び４Ａは、残りのタスク光源の強度より高いレベルに、即ち、図５及び６におけるタスク光源に対応して、それらの最大電力の１００％に設定されるタスク光源の群を構成する。このことは、ひとが位置しているゾーン２．４及び４．１のフル照明に繋がる。隣接するタスク照明２Ａ及び４Ｂは、タスク照明２Ｂ及び４Ａの最大強度１００％より低いが、オフに保たれる図７における左側の順序番号１及び３でマーク付けされた照明器具２０の残りのタスク光源の０強度より高い、この場合は最大強度の５０％に設定されている。
【００５０】
隣接する光源の照明レベルの選択は、１００％の強度で実行されるタスク光源の数に依存する。図７及び８に示している実施例においては、隣接する光源２Ａ及び４Ｂの強度レベルは、図７及び８においては、２つのタスク光源２Ｂ及び４Ａは最大電力で実行されるために、図５及び図６におけるタスク光源４Ａより低いレベルに設定される。
【００５１】
本発明に従った提案している照明システム１０は、下の演算で示すように、低い消費電力で作動されることが可能である。全体的な周囲照明は、設置された周囲光電力の６０％に相当する３００ｌｕｘであり、そのタスク照明の最大強度レベルは５００ｌｕｘ（設置されたタスク光電力の１００％）であるため、図５及び６に関連付けて説明している状態における電力の低減は、次式（１）により表される。
１−（０．６０＋（（１００＋７５）／８００）＊０．４０＝１−０．６９＝３１％
（１）
図７及び８に関連付けて説明している状態においては、電力低減係数は次式（２）により演算される
１−（０．６０＋（（１００＋１００＋５０＋５０）／８００）＊０．４０＝１−０．７５＝２５％                                                          （２）
上記の演算はある点で簡単化され、単に本発明の効果を示す役割を果たすことが理解できる。
【００５２】
電源のための異なるフレキシブルな配線スキームが可能であるように、互いに異なる照明器具を相互接続することが可能である。好適な実施形態においては、各々の照明器具は、第２の照明器具を介して電力が供給されるようにこの第２の照明器具と接続可能である。例えば、１つの照明器具のみが主電源と直接、接続される一方、この照明器具に接続される他の照明器具は、第１の照明器具を介して間接的に電力供給される。異なる状態について、図９乃至１２に示している。
【００５３】
図９においては、順序番号２でマーク付けされた右上の照明器具２０及び順序番号３でマーク付けされた左下の照明器具のみがそれぞれの主電源３０、３２と直接、接続される。残りの照明器具１及び４は、照明器具２を介して主電源３０により供給される配線により照明器具２に接続される。図１０においては、１つの主電源３０のみが、順序番号１を有する左上の照明器具に電力供給するように備えられている。残りの照明器具２乃至４は、配線を介してこの照明器具１に接続される。即ち、照明器具２は照明器具４に接続され、照明器具４は、配線を介して照明器具１に順に、直接、接続される照明器具３に接続される。
【００５４】
図１１においては、１乃至４の各々の照明２０が電源３０、３２に接続される状態が示されている。図１２の状態においては、順序番号１及び２を有する上側の照明器具は主電源３０に接続される一方、左下の照明器具３は配線を介して照明器具１に接続され、照明器具４は、配線を介して照明器具２に接続される。図１２の照明システムは、互いに直接、接続され、配線を介して照明器具４に接続される、順序番号５及び６でマーク付けされた第５及び第６の照明器具２０を有する。
【００５５】
提案している照明システム１０において使用される占有センサは、受動赤外センサ、超音波動きセンサ又はそれら両方の組み合わせとして提供されることが可能である。ラダーセンサのような占有センサの他の実施形態も可能である。更に、占有センサは、少なくとも１つのゾーンの占有を検出する場合に、音響信号又は光信号のような占有アラーム信号を生成するアラーム装置を備えることが可能である。占有アラームを受信する何れかの受信装置に無線アラーム信号を送信する送信手段を有する各々の占有センサを提供することが更に可能である。
【００５６】
少なくとも１つのゾーンにおいて火災を検出する場合に、火災アラーム信号を生成するように火災アラーム装置を有する各々の占有センサを備えることが更に可能である。従って、占有センサの共通の実施形態が本発明に従った照明システムにおいて用いられることが可能であり、照明システム１０はまた、照明システムに含まれる光源の制御機能を補う火災検出又は占有検出のような他の要求を実現させることも可能である。
【００５７】
上記の、任意の占有アラーム機能又は火災アラーム機能は、センサ自体の機能に統合されることが可能である。アラーム信号の生成に対して、複数のセンサ間の無線通信が、モニタされるゾーンの火災又は占有を検出するセンサのアラーム信号を“広める”ように用いられることが可能である。各々のセンサは、他のセンサにアラーム信号を送信し、次いで、他のセンサに送信されるアラーム信号を生成する等のために、備えられることが可能である。この実施形態においては、各々の占有センサは、他の占有センサにアラーム信号を送信するばかりでなく、他の占有センサによりアラーム信号を受信する場合に、アラーム信号も生成するように備えられる。
【００５８】
上記の説明は、本発明を例示するように意図されているが、何れかの特定の実施形態に又は実施形態の群に同時提出の特許請求の範囲を限定するとして解釈されるべきではない。本発明については、特定の例示としての実施形態を参照して詳細に説明しているが、請求項に記載されている本発明の範囲及び趣旨から逸脱することなく、種々の修正及び変形を行うことが可能である。本明細書及び図は、従って、例示であるとみなされ、特許請求の範囲における範囲に限定されるように意図されていない。請求項において、用語“を有する”は他の要素又はステップを排除するものではなく、単数表現は複数を排除するものではない。
【図１】
2013506247.tif 000003
【図２】
2013506247.tif 000004
【図３】
2013506247.tif 000005
【図４】
2013506247.tif 000006
【図５】
2013506247.tif 000007
【図６】
2013506247.tif 000008
【図７】
2013506247.tif 000009
【図８】
2013506247.tif 000010
【図９】
2013506247.tif 000011
【図１０】
2013506247.tif 000012
【図１１】
2013506247.tif 000013
【図１２】
2013506247.tif 000014
【国際調査報告】
2013506247.tif 000015
2013506247.tif 000016